(57)【要約】【課題】複連引戸式門扉を回転できるように構成しようとすると、親戸の浮いた状態の自由端側を支持元として、引戸を片持ち突出状に支持させることになり、門扉の開成に力が要るようになり、門扉が重く感じられる。【解決手段】アジャスタ機構１９として、引戸の扉体１５側に固定的に設けられ、下方に突出するストッパ片５７と、親戸７側に回動自在に設けられ、折り畳まれた状態から引き出されると着地姿勢になる脚部４７と、脚部４７に連動し、折り畳まれた状態では上方に前進しながら突出してストッパ片５７に当接し、引戸扉体１５の閉成方向への移動を規制する突当て部４９を備え、ロックが解除されると、脚部４７が回動して着地姿勢になると共に、ストッパ片５７から突当て部４９が外れる。【選択図】  図３
2020125623.tif 000002
【特許請求の範囲】
【請求項１】
親戸に対して厚さ方向に並べて配置された引戸が開閉方向に移動可能に連なってなる複連引戸式門扉において、
アジャスタ機構として、
引戸側に固定的に設けられ、下方に突出するストッパと、
親戸側に回動自在に設けられ、折り畳まれた状態から引き出されると着地姿勢になる脚部と、前記脚部に連動し、折り畳まれた状態では上方に前進しながら突出して前記ストッパに当接し、前記引戸の閉成方向への移動を規制する突当て部と、
足動乃至手動操作により、前記脚部を折り畳まれた状態にロックするロック手段を備え、
前記脚部は前記引戸が閉成方向に引き出されると、着地することを特徴とする複連引戸式門扉。
【請求項２】
請求項１に記載した複連引戸式門扉において、
ロック手段として、
脚部を連動させるロックシャフトと、
親戸側にシーソー状に揺動可能に設けられたアームと、前記アームの揺動支点を挟んで一方側に形成された係合凹部と、前記係合凹部に前記ロックシャフトが係合する方向に弾性的に付勢する付勢手段を備え、
前記アームの揺動支点を挟んで他方側を足動乃至手動の操作側とすることを特徴とする複連引戸式門扉。
【請求項３】
請求項１または２に記載した複連引戸式門扉において、
親戸の下面に取付け部が回動自在に支持されており、前記取付け部に脚部と突当て部が取付けられていることを特徴とする複連引戸式門扉。
【請求項４】
請求項３に記載した複連引戸式門扉において、
親戸は２枚の扉体が間隔をあけて二重構造に形成され、その間に引戸が収納されるようになっており、
取付け部が前記２枚の扉体に両持ち支持状態で吊設されていることを特徴とする複連引戸式門扉。
【請求項５】
請求項１から４のいずれかに記載した複連引戸式門扉において、
二連式になっていることを特徴とする複連引戸式門扉。
【請求項６】
請求項１から５のいずれかに記載した複連引戸式門扉において、
吊元門柱に対して親戸が回転可能に片持ち支持されていることを特徴とする複連引戸式門扉。
【発明の詳細な説明】
【技術分野】
【０００１】
本発明は、複連引戸式門扉に関するものである。
【背景技術】
【０００２】
複連引戸式門扉は、開成時には出入り口に邪魔にならないようコンパクトに収納できることから、物流センターや浄水場等の大型施設や工場の出入り口の門扉として利用されている。
【先行技術文献】
【特許文献】
【０００３】
【特許文献１】特開２００６−６３５９４号公報
【発明の概要】
【発明が解決しようとする課題】
【０００４】
ところで、特許文献１のように、門柱に片持ちされて扉体が回転する回転式の門扉があるが、このタイプの門扉は戸車、レールが不要で設置場所を選ばない上に、引戸が全閉時に錠掛けと錠受けが一致できる利点がある。
而して、複連引戸式門扉を上記のように回転できるように構成しようとすると、親戸の浮いた状態の自由端側を支持元として、引戸を片持ち突出状に支持させることになり、曲げモーメントが発生するので、伸長度合が大きくなるほど、すなわち引戸の引出し度合が大きくなるほど支持元側の荷重負担が増える。そのため、門扉の開成に力が要るようになり、門扉が重く感じられ、操作性の点から問題が出てくる。
本発明は上記従来の問題点に着目して為されたものであり、複連引戸式に、片持ち突出状に支持しても、門扉の開成を軽くできるよう工夫し、引戸が全閉時に錠掛けと錠受けが一致できる回転式の利点を取り込むことができる、新規且つ有用な複連引戸式門扉の提供を、その目的とする。
【課題を解決するための手段】
【０００５】
本発明者は、試行錯誤の結果、特徴的なアジャスタ機構を採用することで、片持ち突出状に支持させた場合の門扉の開成の際の操作性の悪化を抑制できることを確認し、本発明の複連引戸式門扉を完成するに至った。
本発明の請求項１の発明は、親戸に対して厚さ方向に並べて配置された引戸が開閉方向に移動可能に連なってなる複連引戸式門扉において、アジャスタ機構として、引戸側に固定的に設けられ、下方に突出するストッパと、親戸側に回動自在に設けられ、折り畳まれた状態から引き出されると着地姿勢になる脚部と、前記脚部に連動し、折り畳まれた状態では上方に前進しながら突出して前記ストッパに当接し、前記引戸の閉成方向への移動を規制する突当て部と、足動乃至手動操作により、前記脚部を折り畳まれた状態にロックするロック手段を備え、前記脚部は前記引戸が閉成方向に引き出されると、着地することを特徴とする複連引戸式門扉である。
【０００６】
請求項２の発明は、請求項１に記載した複連引戸式門扉において、ロック手段として、脚部を連動させるロックシャフトと、親戸側にシーソー状に揺動可能に設けられたアームと、前記アームの揺動支点を挟んで一方側に形成された係合凹部と、前記係合凹部に前記ロックシャフトが係合する方向に弾性的に付勢する付勢手段を備え、前記アームの揺動支点を挟んで他方側を足動乃至手動の操作側とすることを特徴とする複連引戸式門扉である。
【０００７】
請求項３の発明は、請求項１または２に記載した複連引戸式門扉において、親戸の下面に取付け部が回動自在に支持されており、前記取付け部に脚部と突当て部が取付けられていることを特徴とする複連引戸式門扉である。
【０００８】
請求項４の発明は、請求項３に記載した複連引戸式門扉において、親戸は２枚の扉体が間隔をあけて二重構造に形成され、その間に引戸が収納されるようになっており、取付け部が前記２枚の扉体に両持ち支持状態で吊設されていることを特徴とする複連引戸式門扉である。
【０００９】
請求項５の発明は、請求項１から４のいずれかに記載した複連引戸式門扉において、二連式になっていることを特徴とする複連引戸式門扉である。
【００１０】
請求項６の発明は、請求項１から５のいずれかに記載した複連引戸式門扉において、吊元門柱に対して親戸が回転可能に片持ち支持されていることを特徴とする複連引戸式門扉である。
【発明の効果】
【００１１】
本発明の複連引戸式門扉によれば、片持ち突出状に支持させても、門扉の開成を軽くできるようになっているので、回転可能に構成しても、実用的なものとなる。
【図面の簡単な説明】
【００１２】
【図１】本発明の実施の形態に係る複連引戸式門扉の設置状態の説明図である。
【図２】図１の複連引戸式門扉の開成状態の側面図である。
【図３】図２の複連引戸式門扉に設けられた折り畳み姿勢のアジャスタ機構を、下方から見た斜視図である。
【図４】図３からベースプレートを省略した斜視図である。
【図５】図３のアジャスタ機構の側面図である。
【図６】図３のアジャスタ機構を、引戸の扉体の引き出し方向先方から見た斜視図である。
【図７】図３のアジャスタ機構を垂下姿勢にしたときの、引戸の扉体の引き出し方向先方から見た斜視図である。
【図８】図７のアジャスタ機構の側面図である。
【図９】図２の複連引戸式門扉の閉成時におけるアジャスタ機構の作用説明図である。
【図１０】図９の複連引戸式門扉の閉成途中段階を示す側面図である。
【図１１】図１０に続く、複連引戸式門扉の閉成完了状態を示す側面図である。
【発明を実施するための形態】
【００１３】
本発明の実施の形態に係る二連引戸式門扉を図面にしたがって説明する。
先ず、全体の概略的な構成について、図１にしたがって説明する。
二連引戸式門扉１が２つ設置されており、両方が最大伸長されたときに出入り口が閉じられるようになっている。
図２に示すように、二連引戸式門扉１は、ベースアンカ３に吊元門柱５が立設されており、この吊元門柱５に親戸７が回転自在に支持されている。親戸７は二枚の扉体９、９が間隔をあけて平行に立てられており、上下端部にはそれぞれローラカバー１１、１１が被せられている。扉体９、９には連結部１３、１３、……（図７）が所定の間隔をあけて架け渡されて連結されて一体化されている。
親戸７の扉体９の下面と、設置する地面との間には隙間があり、親戸７は吊元門柱５に片持ち突出状に浮かし支持されている。
【００１４】
この親戸７の２枚の扉体９、９の間の隙間が、引戸の扉体１５（以下、「引戸扉体１５」と記載）の収納スペースになっており、この収納スペースから引き出されると、二連引戸式門扉１が伸長する。
最大に伸長した場合にも、引戸扉体１５の吊元門柱５側は、親戸７の扉体９、９と重合する。この重合部分１７（図１１）では、上端部と下端部にそれぞれ移動方向両側にガイドローラ（図示省略）が転動自在に突設されており、引戸扉体１５が移動する際にはこのガイドローラが親戸７側のローラカバー１１の内面を摺動する。また、重合部分１７の下面には、ストッパローラ（図示省略）が突設されており、これが親戸７側の当り部（図示省略）に当接することでそれ以上の伸長が阻止される。
【００１５】
この二連引戸式門扉１は、アジャスタ機構１９が備えられている。
図３、図４の斜視図に示すように、親戸７の２枚の扉体９、９の下面に、その間の隙間を跨いで矩形のベースプレート２１の板面が固定されている。ベースプレート２１の対向する一対の辺縁部は扉体９、９のそれぞれの外方の扉面に沿っており、外方にはみ出していない。
このベースプレート２１には、相似状に矩形のストッパ用差込み穴２３が形成されている。このストッパ用差込み穴２３により隙間が上下方向に開放されており、引戸扉体１５の下面が地面側に露出した状態になっている。
【００１６】
このベースプレート２１には、一対の軸受２５、２５が下方に向かって突設されている。この軸受２５、２５はそれぞれ扉体９、９の下面とベースプレート２１を挟んで対向し、且つ、扉体９の扉面に直交する方向では重なり合う位置で溶接にて一体化されている。
軸受２５は、２枚の軸受板２７、２７が互いに平行に並べられて構成されており、それぞれの上端板厚面が溶接にて一体化されている。軸受板２７は、上側では両側縁が平行になっているが、下側では円弧状に丸められている。軸受板２７、２７の板面は扉体９、９の板面と平行に並んでおり、それぞれの挿通孔が扉体９、９の板面と直交する方向で開口している。
【００１７】
この一対の軸受２５、２５を利用して取付け部２９が回動自在に支持されている。取付け部２９は、板状部材を組み合わせて構成されている。長方形の底面部３１の対向する短辺縁にそれぞれ側面部３３、３３が垂直に溶接にて一体化されて立ち上がっている。側面部３３もほぼ長方形をしており、その一方の短辺縁が溶接にて一体化されている。上側にくる短辺縁３５が扉体９の直下で回動するようになっており、扉体９の下面に最接近する角部３７は丸みが付けられている。また、角部３７と反対側が延長されており、その分だけ短辺縁３５は長くなっている。短辺縁３５の近傍には、軸受板２７の挿通孔と同様な挿通孔が形成されている。
背面部３９がこの側面部３３、３３と底面部３１に背面側で溶接にて一体化されて補強されている。なお、背面部３９は側面部３３の上記延長部分より下側に位置しており、当該延長部分には干渉していない。
【００１８】
取付け部２９の各側面部３３が軸受２５の２枚の軸受板２７、２７の間の隙間に挿入され、それぞれの挿通孔が連通された状態で、ボルト・ナット４１で締結されている。すなわち、取付け部２９は、回動可能に支持されている。この取付け部２９は、回動の際には、側面部３３の丸い角部３７がベースプレート２１の下面に僅かな隙間をあけて相対するので、回動支点がベースプレート２１の下面近傍でも回動可能になっている。
【００１９】
図３、図５に示すように、ベースプレート２１側に折り畳まれたときには、背面部３９が下側にくる。取付け部２９による支持位置がベースプレート２１の端寄りになっているので、折り畳み姿勢では、取付け部２９がベースプレート２１内に収まる。
ブランコ状に回動可能に吊設されているので、回動自由時には、図７に示すように、底面部３１が地面に相対する垂下姿勢になる。取付け部２９は、回動により、側面図でみると、図５に示す折り畳み姿勢から、図８に示す垂下姿勢になる。
【００２０】
図４は図３からベースプレート２１が省略された図面である。この図４と図８に示すように、取付け部２９の底面部３１には間隔をあけて２つの挿通穴が形成されており、それぞれに脚シャフト４３、４３が挿通されている。取付け部２９内では、脚シャフト４３側の雄ネジに底面部３１に固定されたナット４４が螺着されて固定されている。脚シャフト４３は、底面部３１からはその板面に対して垂直方向に延び出ており、その先端には接地パッド４５が設けられている。この脚シャフト４３と接地パッド４５で脚部４７が構成されている。この脚部４７は、取付け部２９が垂下姿勢になったときに、着地姿勢で立ち、接地パッド４５が地面に接地可能となる。
【００２１】
また、この取付け部２９には、図７に示すように、引戸扉体１５の移動を規制する突当て部４９が取付けられている。固定アーム部５１が平板材で「レ」字状に形成されており、この垂直部分５３は取付け部２９の側面部３３と同じような形状になっている。そして、残りの傾斜部分５５の先端にゴム製の突当て部４９が取付けられている。垂直部分５３は側面部３３、３３と板面どうしが平行に並ぶようにその中間で底面部３１と背面部３９に溶接にて一体化されており、傾斜部分５５は側面部３３、３３の外方に大きく延び出ている。
取付け部２９が垂下姿勢にあるときは、その上端にくる突当て部４９は、ベースプレート２１よりも下方にある。一方、折り畳み姿勢に回動すると、ベースプレート２１のストッパ用差込み穴２３から引戸扉体１５側に向かって入り込む。
【００２２】
この突当て部４９に突当てられる側として、引戸扉体１５の下面には、ストッパ片５７が固定されている。このストッパ片５７は長方形の板材を垂直に折り曲げて断面Ｌ形にしたものであり、一方の片が下面に固定されて、ストッパ片５７は垂直に下方に向かって突出している。ストッパ片５７は板面が引戸扉体１５の移動方向を向いている。
取付け部２９が垂下姿勢から折り畳み姿勢になるとき、突当て部４９が回動により引戸扉体１５側に近づき、ストッパ片５７に突き当て状態で当接する。引戸扉体１５側は、閉成方向に移動するときには、このストッパ片５７が突当て部４９に当たる方向に動くことになる。従って、取付け部２９が折り畳み姿勢になっているときには、引戸扉体１５は閉成方向に移動できない。
一方、取付け部２９が垂下姿勢になっているときには、突当て部４９が突当て位置から外れるので、引戸扉体１５は閉成方向に移動可能となる。
【００２３】
二連引戸式門扉１を開成状態におくときには、引戸扉体１５が収納された状態で固定され、引き出されないようにするために、ストッパ片５７に突当て部４９を突当て状態でロックするロック手段が設けられている。
図６、図８に示すように、親戸７の扉体９、９のうち一方の扉体９の外方に向いた扉面の下部には、軸支用ブラケット５９が取付けられており、この軸支用ブラケット５９に支持軸６１の両端側が固定されている。この支持軸６１は当該扉面と直交している。軸支用ブラケット５９は上下方向と引戸扉体１５の引き出し方向先方が開放されており、そこから細長い平板状の揺動アーム６３が差し込まれている。
【００２４】
この揺動アーム６３は、長手方向中間の縁に係止溝６５が形成されている。その係止溝６５の形成側と反対側の長手方向の縁には、支点凹部６７が形成され、また、その下側に円弧状に凹んだ係合凹部６９が形成されている。
揺動アーム６３の支点凹部６７が支持軸６１に外嵌された状態で、ダブルトーションバネ７１の連結部７３が係止溝６５に係止され、両側のコイル部７５、７５が支持軸６１に巻装されており、両端側は軸支用ブラケット５９に固定されている。このダブルトーションバネ７１によって、揺動アーム６３は支持軸６１を揺動支点として、シーソー状に揺動可能に支持されており、バネによる付勢方向は、図８の側面図では時計回りになっている。そして、係合凹部６９は揺動範囲では親戸７の扉体９よりも下方に位置する。
【００２５】
取付け部２９の側面部３３の外面からは直交方向外方にロックシャフト７７が突設されている。このロックシャフト７７は取付け部２９に連動するので、円弧軌道上を移動する。揺動アーム６３の揺動軌道がこの円弧軌道と交差するので、ロックシャフト７７を係合凹部６９に向かって足動乃至手動で引き上げると、揺動アーム６３の縁に当たって揺動アーム６３が付勢方向と逆方向に揺動され、更に引上げると、係合凹部６９に入り込んで係合する。係合を維持する方向に付勢されるので、ここで足乃至手が離されれば、図６に示すように、この係合状態が維持され、取付け部２９が折り畳み姿勢でロックされる。
そして、上記係合状態から、揺動アーム６３の上側を押し下げて反時計回りに揺動させると、係合状態が解除され、ロックシャフト７７は係合凹部６９から外れる。従って、取付け部２９は回動自由になり、自重で垂下姿勢になる。
【００２６】
上記のように、アジャスタ機構１９は構成されており、親戸７の自由端側、すなわち引戸扉体１５が引き出されて片持ちされたときの支持元となる位置に備えられている。
二連引戸式門扉１の開閉作業を軽くさせるためのアジャスタ機構１９の作用を、図９にしたがって説明する。
図２に示す開成状態、すなわち引戸扉体１５が収納された状態では、ロックされており、これを解除すると、自重により取付け部２９は矢印に示す方向に回動し、脚部４７が引き出されて着地姿勢になる。但し、このときは、接地パッド４５は地面（ＧＬ）から浮いている。また、ロック時にはストッパ片５７に突当て部４９が突き当てられているが、ロック解除されると突当て部４９が回動して下がるので、引戸扉体１５の引き出しが可能となる。
【００２７】
図１０に示すように、引戸扉体１５が引き出されてくると、アジャスタ機構１９の上側に位置する親戸７の荷重負担が大きくなり、垂れてくる。そして、図１１に示すように、完全に引き出された状態では、接地パッド４５が地面（ＧＬ）に設置された状態となり、支持元が地面（ＧＬ）から荷重を支持するための反力を得ることができるので、荷重負担が軽減される。そのため、引戸扉体１５を開成方向に、すなわち収納方向に戻す作業を軽く行うことができる。
【００２８】
地面（ＧＬ）には接地パッド４５を介して脚部４７を着地させており、地面（ＧＬ）の多少の凹凸や傾斜には対応できる。
また、引戸扉体１５を収納方向に戻す場合には、途中で、接地パッド４５が地面（ＧＬ）から浮き上がってくるので、取付け部２９を軽く回動させることができる。従って、容易にロック状態に戻すことができる。
また、二連引戸式門扉１の開成時には、アジャスタ機構１９を折り畳み状態で地面（ＧＬ）から十分に離し、且つ引戸扉体１５の飛び出しを阻止できる。従って、親戸７を門柱に片持ちさせる回転式の利点をそのまま生かせる。すなわち、一つのアジャスタ機構１９を備えたことにより、二連引戸式門扉１の開成作業時に有利な状態と、回転作業時に有利な状態を択一的に実現可能になっている。
【００２９】
以上、本発明の実施の形態について詳述してきたが、具体的構成は、この実施の形態に限られるものではなく、上記に記載した以外に、本発明の想定される機能を発揮し得る範囲における設計の変更などがあっても発明に含まれる。
【符号の説明】
【００３０】
１…二連引戸式門扉  ３…ベースアンカ      ５…吊元門柱          ７…親戸
９…扉体          １１…ローラカバー    １３…連結部          １５…引戸扉体
１７…重合部分      １９…アジャスタ機構  ２１…ベースプレート
２３…ストッパ用差込み穴                  ２５…軸受            ２７…軸受板
２９…取付け部      ３１…底面部          ３３…側面部          ３５…短辺縁
３７…角部          ３９…背面部          ４１…ボルト・ナット  ４３…脚シャフト
４４…ナット        ４５…接地パッド      ４７…脚部            ４９…突当て部
５１…固定アーム部  ５３…垂直部分        ５５…傾斜部分        ５７…ストッパ片
５９…軸支用ブラケット                    ６１…支持軸          ６３…揺動アーム
６５…係止溝        ６７…支点凹部        ６９…係合凹部
７１…ダブルトーションバネ                ７３…連結部          ７５…コイル部
７７…ロックシャフト
【図１】
2020125623.tif 000003
【図２】
2020125623.tif 000004
【図３】
2020125623.tif 000005
【図４】
2020125623.tif 000006
【図５】
2020125623.tif 000007
【図６】
2020125623.tif 000008
【図７】
2020125623.tif 000009
【図８】
2020125623.tif 000010
【図９】
2020125623.tif 000011
【図１０】
2020125623.tif 000012
【図１１】
2020125623.tif 000013